(57)【要約】      （修正有）【課題】セキュリティゲートを通過する者の体温に異常がある場合における入場の規制を安全かつ確実に行える入退場管理支援装置を提供する。【解決手段】入退場管理支援装置２は、制御手段６と、情報の出力手段であるタッチパネルディスプレイ３０、スピーカ、ＵＳＢ３．０インターフェース、ＵＳＢ調整口インターフェース、ネットワークポート、及び１０ＰＩＮ機能接続口と、第１カメラ２１及び第２カメラ２２と、赤外線温度測定モジュール３１と、を具備する。制御手段は、入場者が登録済みの者であり且つ温度が所定値未満である場合に、入場者の入場の許可に関わる信号を、タッチパネルディスプレイ、スピーカ、及び１０ＰＩＮ機能接続口を介して出力し、それ以外の場合に、入場者の入場の規制に関わる信号を出力する。【選択図】図２
0003228205.tif 000002
【実用新案登録請求の範囲】
【請求項１】
制御手段と、
情報の出力手段と、
入場者を撮影する撮影手段と、
入場者の温度を測定する赤外線温度測定モジュールと
を具備し、
前記制御手段は、
前記撮影手段の出力信号を基に、入場者が登録済みの者であるか否かを判定する第１の判定と、前記赤外線温度測定モジュールの出力信号を基に、入場者の温度が所定値未満であるか否かを判定する第２の判定と、を実行し、前記入場者が登録済みの者であり且つ温度が所定値未満である場合に、前記入場者の入場の許可に関わる信号を前記出力手段を介して出力し、それ以外の場合に、前記入場者の入場の規制に関わる信号を前記出力手段を介して出力する
ことを特徴とする入退場管理支援装置。
【請求項２】
筐体を有し、
前記筐体に、前記制御手段、前記出力手段、前記撮影手段、及び前記赤外線温度測定モジュールが搭載されている
ことを特徴とする請求項１に記載の入退場管理支援装置。
【請求項３】
登録済みの者のマスクを装着した顔の撮影情報を記憶するメモリを具備し、
前記制御手段は、
前記撮影手段の出力信号が示す入場者の顔の撮影情報を前記メモリ内の撮影情報と照合することにより、入場者が登録済みの者であるか否かを判定する
ことを特徴とする請求項２に記載の入退場管理支援装置。
【請求項４】
前記出力手段は、ディスプレイを含み、
前記筐体の正面には、開口が設けられており、前記開口から前記ディスプレイが露出しており、
前記制御手段は、
前記入場者が登録済みの者でないか、又は、温度が所定値以上である場合に、入場を規制することを示す情報を前記ディスプレイに表示させる
ことを特徴とする請求項３に記載の入退場管理支援装置。
【請求項５】
前記出力手段は、スピーカを含み、
前記筐体には、前記スピーカが設けられており、
前記制御手段は、
前記入場者が登録済みの者でないか、又は、温度が所定値以上である場合に、入場を規制することを示す音声を前記スピーカから出力させる
ことを特徴とする請求項４に記載の入退場管理支援装置。
【請求項６】
前記制御手段は、
前記撮影手段の出力信号を基に、入場者がマスクを装着しているか否かを判定し、入場者がマスクを装着していない場合、登録済みの者であるか否かに関わらず、マスクの装着を促す情報を前記ディスプレイに表示させる
ことを特徴とする請求項５に記載の入退場管理支援装置。
【請求項７】
前記撮影手段の正面に生物が居るか否かを検知する赤外センサモジュールを備え、
前記制御手段は、前記撮影手段の正面に生物が居ることが検知された場合に、前記第１の判定及び前記第２の判定を実行する
ことを特徴とする請求項６に記載の入退場管理支援装置。
【請求項８】
前記筐体の正面には、赤外線を照射する赤外フィルライトが設けられており、
前記撮影手段は、
第１カメラ、及び第２カメラを含み、
前記第１カメラは、当該第１カメラの受光素子に入射した光の、Ｒ成分、Ｇ成分、及びＢ成分の光量に応じた信号を出力するＲＧＢカメラであり、
前記第２カメラは、前記赤外フィルライトから照射され、入場者を経由して、当該第２カメラの受光素子に入射した光の光量に応じた信号を出力する赤外線カメラであり、
前記制御手段は、前記第１カメラの出力信号に基づいて、前記１の判定を行い、
前記赤外線温度測定モジュールは、前記第２カメラの出力信号に基づいて、前記入場者の温度を測定する
ことを特徴とする請求項７に記載の入退場管理支援装置。
【請求項９】
前記筐体の前面には、
複数の色の発光が可能なＬＥＤフィルライトが設けられており、
前記制御手段は、
前記入場者が登録済みの者でないか、又は、温度が所定値以上である場合に、前記ＬＥＤフィルライトを第１の色で発光させ、前記入場者が登録済みの者であり且つ温度が所定値未満である場合に、前記ＬＥＤフィルライトを第２の色で発光させ、それら以外の場合に、前記ＬＥＤフィルライトを前記第１の色及び前記第２の色と異なる光で発光させる
ことを特徴とする請求項８に記載の入退場管理支援装置。
【請求項１０】
前記第１カメラ及び前記第２カメラは、筐体の正面における前記開口の上側であって、中央から左右に同じ距離だけ離れた位置にそれぞれ配置されており、
前記赤外フィルライトは、２つあり、当該２つの赤外フィルライトは、前記第１カメラ及び前記第２カメラの左右両側に配置されており、
前記２つの赤外フィルタの左右両側に、マイクと前記赤外センサモジュールがそれぞれ配置されている
ことを特徴とする請求項９に記載の入退場管理支援装置。
【請求項１１】
前記赤外線温度測定モジュールは、一方向に延在する直方体を角取りした形状をなしており、
前記赤外線温度測定モジュールは、前記筐体の上端面に固定されている
ことを特徴とする請求項１０に記載の入退場管理支援装置。
【請求項１２】
前記第１カメラは、撮影画像の画素毎の距離を検出するＴｏＦカメラを有し、
前記制御手段は、前記ＴｏＦカメラの出力信号に基づいて、入場者が所定の距離の範囲内に居るか否かを判定し、入場者が所定の距離の範囲外にいる場合に、所定の案内音声を前記スピーカから出力させる
ことを特徴とする請求項１１に記載の入退場管理支援装置。
【請求項１３】
請求項１〜１２のいずれかに記載の入退場管理支援装置と、
施設のエントランスに設置されるセキュリティゲートであって、本体と、与えられた信号に従ってスピーカからアラート音を出力するコントローラとを有するセキュリティゲートと
を具備し、
前記制御手段は、
前記入場者が登録済みの者でないか、又は、温度が所定値以上である場合、アラート音の出力を指示する信号を前記セキュリティゲートに送信し、前記セキュリティゲートのコントローラは、アラート音の出力を指示する信号を受信すると、スピーカからアラート音を出力させる
ことを特徴とする入退場管理支援システム。
【請求項１４】
一方向に延在する筒状部と、前記筒状部の基端よりも僅かに上側に設けられたフランジと、前記筒状部の先端部から、当該筒状部の延伸方向と直交する方向に突出した支持板とを、有する取付部材
を具備し、
前記取付部材は、前記筒状部における前記フランジの下側の部分を前記本体の上面の孔に嵌め込むようにして、前記上面に固定されており、
前記入退場管理支援装置の筐体の背面の中央に、突出片が設けられており、前記突出片に、ゲーブルを接続するための接続端子が設けられており、
前記接続端子に接続されたケーブルが、前記筒状部の中を通って、前記本体の中の前記コントローラと接続されており、
前記突出片が、前記支持板に枢支され、
前記入退場管理支援装置が、前記支持板の枢支点を揺動軸として、揺動し得るようになっている
ことを特徴とする請求項１３に記載の入退場管理支援システム。
【考案の詳細な説明】
【技術分野】
【０００１】
本考案は、施設や店舗の入退場者を管理する技術に関する。
【背景技術】
【０００２】
入退出管理システムに関わる技術が各種提案されている。特許文献１に開示された顔認識セキュリティゲートシステムは、セキュリティゲートと、セキュリティゲートを人が通過したか否かを検知するセンサと、セキュリティゲートを通過する人を撮影する撮影部と、センサの通過検知のタイミングに合わせて、撮影部が撮影したフレーム内の所定時間分のフレームを抽出する抽出部と、抽出部が抽出したフレームから顔認識を行う顔認識部とを有する。この顔認識セキュリティゲートシステムによると、セキュリティゲートを通過する人の顔画像を精度よく抽出することができる。
【先行技術文献】
【特許文献】
【０００３】
【特許文献１】特開２０１５−１１１３２１号公報
【考案の概要】
【考案が解決しようとする課題】
【０００４】
ところで、２０２０年の新型コロナウィルスの発生以降、施設や店舗の管理者は、セキュリティゲートの前に、温度測定を行う人員を配置し、体温が正常である者だけをセキュリティゲートに進ませる、といった対応を余儀なくされている。
【０００５】
しかしながら、このような人手による入退場管理は、セキュリティゲートの通過に要する時間が長くなるだけでなく、セキュリティゲートを通過する者とその体温を測る者との距離が近くなり、感染のリスクが高くなる、という問題があった。
【０００６】
本考案は、このような課題に鑑みてなされたものであり、セキュリティゲートを通過する者の体温に異常がある場合における入場の規制を安全かつ確実に行える技術的手段を提供することを目的とする。
【課題を解決するための手段】
【０００７】
上記課題を解決するため、本考案の好適な態様である入退場管理支援装置は、制御手段と、情報の出力手段と、入場者を撮影する撮影手段と、入場者の温度を測定する赤外線温度測定モジュールと、を具備し、前記制御手段は、前記撮影手段の出力信号を基に、入場者が登録済みの者であるか否かを判定する第１の判定と、前記赤外線温度測定モジュールの出力信号を基に、入場者の温度が所定値未満であるか否かを判定する第２の判定と、を実行し、前記入場者が登録済みの者であり且つ温度が所定値未満である場合に、前記入場者の入場の許可に関わる信号を前記出力手段を介して出力し、それ以外の場合に、前記入場者の入場の規制に関わる信号を前記出力手段を介して出力することを特徴とする。
【０００８】
この態様において、筐体を有し、前記筐体に、前記制御手段、前記出力手段、前記撮影手段、及び前記赤外線温度測定モジュールが搭載されていてもよい。
【０００９】
この態様において、登録済みの者のマスクを装着した顔の撮影情報を記憶するメモリを具備し、前記制御手段は、前記撮影手段の出力信号が示す入場者の顔の撮影情報を前記メモリ内の撮影情報と照合することにより、入場者が登録済みの者であるか否かを判定してもよい。
【００１０】
また、前記出力手段は、ディスプレイを含み、前記筐体の正面には、開口が設けられており、前記開口から前記ディスプレイが露出しており、前記制御手段は、前記入場者が登録済みの者でないか、又は、温度が所定値以上である場合に、入場を規制することを示す情報を前記ディスプレイに表示させるようにしてもよい。
【００１１】
また、前記出力手段は、スピーカを含み、前記筐体には、前記スピーカが設けられており、前記制御手段は、前記入場者が登録済みの者でないか、又は、温度が所定値以上である場合に、入場を規制することを示す音声を前記スピーカから出力させるようにしてもよい。
【００１２】
また、前記制御手段は、前記撮影手段の出力信号を基に、入場者がマスクを装着しているか否かを判定し、入場者がマスクを装着していない場合、登録済みの者であるか否かに関わらず、マスクの装着を促す情報を前記ディスプレイに表示させるようにしてもよい。
【００１３】
また、前記撮影手段の正面に生物が居るか否かを検知する赤外センサモジュールを備え、前記制御手段は、前記撮影手段の正面に生物が居ることが検知された場合に、前記第１の判定及び前記第２の判定を実行するようにしてもよい。
【００１４】
また、前記筐体の正面には、赤外線を照射する赤外フィルライトが設けられており、前記撮影手段は、第１カメラ、及び第２カメラを含み、前記第１カメラは、当該第１カメラの受光素子に入射した光の、Ｒ成分、Ｇ成分、及びＢ成分の光量に応じた信号を出力するＲＧＢカメラであり、前記第２カメラは、前記赤外フィルライトから照射され、入場者を経由して、当該第２カメラの受光素子に入射した光の光量に応じた信号を出力する赤外線カメラであり、前記制御手段は、前記第１カメラの出力信号に基づいて、前記１の判定を行い、前記赤外線温度測定モジュールは、前記第２カメラの出力信号に基づいて、前記入場者の温度を測定してもよい。
【００１５】
また、前記筐体の前面には、複数の色の発光が可能なＬＥＤフィルライトが設けられており、前記制御手段は、前記入場者が登録済みの者でないか、又は、温度が所定値以上である場合に、前記ＬＥＤフィルライトを第１の色で発光させ、前記入場者が登録済みの者であり且つ温度が所定値未満である場合に、前記ＬＥＤフィルライトを第２の色で発光させ、それら以外の場合に、前記ＬＥＤフィルライトを前記第１の色及び前記第２の色と異なる光で発光させてもよい。
【００１６】
また、前記第１カメラ及び前記第２カメラは、筐体の正面における前記開口の上側であって、中央から左右に同じ距離だけ離れた位置にそれぞれ配置されており、前記赤外フィルライトは、２つあり、当該２つの赤外フィルライトは、前記第１カメラ及び前記第２カメラの左右両側に配置されており、前記２つの赤外フィルタの左右両側に、マイクと前記赤外センサモジュールがそれぞれ配置されていてもよい。
【００１７】
また、前記赤外線温度測定モジュールは、一方向に延在する直方体を角取りした形状をなしており、前記赤外線温度測定モジュールは、前記筐体の上端面に固定されていてもよい。
【００１８】
また、前記第１カメラは、撮影画像の画素毎の距離を検出するＴｏＦカメラを有し、前記制御手段は、前記ＴｏＦカメラの出力信号に基づいて、入場者が所定の距離の範囲内に居るか否かを判定し、入場者が所定の距離の範囲外にいる場合に、所定の案内音声を前記スピーカから出力させてもよい。
【００１９】
本考案の別の好適な態様である入退場管理支援システムは、上記の入退場管理支援装置と、施設のエントランスに設置されるセキュリティゲートであって、本体と、与えられた信号に従ってスピーカからアラート音を出力するコントローラとを有するセキュリティゲートとを具備し、前記制御手段は、前記入場者が登録済みの者でないか、又は、温度が所定値以上である場合、アラート音の出力を指示する信号を前記セキュリティゲートに送信し、前記セキュリティゲートのコントローラは、アラート音の出力を指示する信号を受信すると、スピーカからアラート音を出力させることを特徴とする。
【００２０】
この態様において、一方向に延在する筒状部と、前記筒状部の基端よりも僅かに上側に設けられたフランジと、前記筒状部の先端部から、当該筒状部の延伸方向と直交する方向に突出した支持板とを、有する取付部材を具備し、前記取付部材は、前記筒状部における前記フランジの下側の部分を前記本体の上面の孔に嵌め込むようにして、前記上面に固定されており、前記入退場管理支援装置の筐体の背面の中央に、突出片が設けられており、前記突出片に、ゲーブルを接続するための接続端子が設けられており、前記接続端子に接続されたケーブルが、前記筒状部の中を通って、前記本体の中の前記コントローラと接続されており、前記突出片が、前記支持板に枢支され、前記入退場管理支援装置が、前記支持板の枢支点を揺動軸として、揺動し得るようになっていてもよい。
【考案の効果】
【００２１】
本考案による入退場管理支援装置は、制御手段と、情報の出力手段と、入場者を撮影する撮影手段と、入場者の温度を測定する赤外線温度測定モジュールと、を具備し、前記制御手段は、前記撮影手段の出力信号を基に、入場者が登録済みの者であるか否かを判定する第１の判定と、前記赤外線温度測定モジュールの出力信号を基に、入場者の温度が所定値未満であるか否かを判定する第２の判定と、を実行し、前記入場者が登録済みの者であり且つ温度が所定値未満である場合に、前記入場者の入場の許可に関わる信号を前記出力手段を介して出力し、それ以外の場合に、前記入場者の入場の規制に関わる信号を前記出力手段を介して出力する。よって、本考案によると、入場者が登録済みの者でない場合に加えて、入場者の温度が所定値未満である場合にも、入場が規制される。従って、セキュリティゲートを通過する者の体温に異常がある場合における入場の規制を安全かつ確実に行うことができる。
【図面の簡単な説明】
【００２２】
【図１】本考案の第１実施形態である入退場管理支援装置２とセキュリティゲート７とを含む入退場管理支援システム１を示す図である。
【図２】（Ａ）は、図１の入退場管理支援装置２の正面図であり、（Ｂ）は、（Ａ）の一方の側面図であり、（Ｃ）は、（Ａ）の他方の側面図である。
【図３】図２（Ａ）の背面図である。
【図４】図３の突出片４０とその周囲を示す図である。
【図５】図１の取付部材５の側面図である。
【図６】（Ａ）は、本考案の第２実施形態である入退場管理支援装置２とセキュリティゲート７Ａとを含む入退場管理支援システム１Ａの正面図であり、（Ｂ）は、（Ａ）の上面図である。
【図７】（Ａ）は、本考案の第３実施形態である入退場管理支援装置２とスタンド８１とを含む入退場管理支援システム１Ｂの正面図であり、（Ｂ）は、（Ａ）の側面図である。
【考案を実施するための形態】
【００２３】
＜第１実施形態＞
以下、図面を参照しつつ本考案の第１実施形態を説明する。図１に示すように、本実施形態の入退場管理支援システム１は、セキュリティゲート７と、入退場管理支援装置２とを有する。セキュリティゲート７及び入退場管理支援装置２は、施設のエントランスに設置される。施設のサーバ装置（不図示）へのマスクを着用した顔写真の登録を済ませている者は、セキュリティゲート７において顔認証を行い、顔認証をパスした場合に、セキュリティゲート７を通って施設内に入ることができる。
【００２４】
セキュリティゲート７は、間隔をあけて平行に置かれている。入場者は、隣り合う２つのセキュリティゲート７の間を通って、施設内に入る。セキュリティゲート７は、本体７０と、扉７１と、コントローラ（不図示）とを有する。本体７０は、直方体状をなしている。扉７１は、扇状をなしている。扉７１は、本体７０の左右の一方又は両方の側方に、進出自在に支持されている。コントローラは、与えられた信号に従って、扉７１の動作を制御する。
【００２５】
図２及び図３に示すように、入退場管理支援装置２の筐体３は、矩形板状をなしている。筐体３内には、制御手段６が収められている。制御手段６は、ＣＰＵ６１及びメモリ６２を有する。ＣＰＵ６１は、入退場管理支援装置２の制御中枢としての役割を果たすものである。メモリ６２には、ＯＳ（Operating System）などの各種プログラムやデータが記憶されている。また、メモリ６２には、登録済みの者のマスクを装着した顔の撮影情報が記憶されている。この登録済みの者の撮影情報は、サーバ装置からネットワーク経由で入退場管理支援装置２のメモリ６２にダウンロードされてもよいし、ＵＳＢ記憶デバイスなどの外部記憶装置から読みだしてメモリ６２に格納してもよい。
【００２６】
筐体３の正面の中央には、開口がある。この開口からは、タッチパネルディスプレイ３０の表示面が露出している。筐体の正面の上縁には、ＬＥＤフィルライト２０が設けられている。筐体３の正面における開口の上側には、撮影手段である第１カメラ２１及び第２カメラ２２が設けられている。第１カメラ２１及び第２カメラ２２から左右に同じ距離だけ離れた位置には、２つの赤外線フィルライト２４が設けられている。２つの赤外線フィルライト２４の左右両側には、マイク２５及び赤外センサモジュール２６が設けられている。赤外センサモジュール２６は、第１カメラ２１及び第２カメラ２２の正面に居る者が人（生物）であるか否かを検知するものである。
【００２７】
第１カメラ２１は、ＲＧＢカメラとしての役割と、ＴｏＦ（Time-of-Flight）カメラとしての役割とを併有するものである。第１カメラ２１は、当該第１カメラ２１の受光素子に入射した光のＲ成分、Ｇ成分、及びＢ成分の光量に応じた撮影画像信号ＳＲＧＢを出力する。また、第１カメラ２１は、当該第１カメラ２１の受光素子が受光した光の位相から、撮影画像の画素毎の距離を特定し、画素毎の距離を示す３次元画像信号Ｓ３Ｄを出力する。
【００２８】
第２カメラ２２は、ＩＲ（Infrared Rays）カメラである。第２カメラ２２は、赤外線フィルライト２４から照射され、入場者の反射を経て、当該第２カメラ２２の受光素子に入射した光の光量に応じた赤外線信号ＳＩＲを出力する。
【００２９】
筐体３の上端面には、赤外線温度測定モジュール３１がある。赤外線温度測定モジュール３１は、矩形状の取付板３２により、筐体３の背面の上側の部分に固定されている。赤外線温度測定モジュール３１は、一方向に延在する直方体を角取りした形状を有している。赤外線温度測定モジュール３１は、第２カメラ２２の出力信号ＳＩＲに基づいて、利用者の温度を測定し、この温度を示す信号ＳＴＥＭを出力する。
【００３０】
筐体３の背面の中央には、突出片４０が設けられている。図４に示すように、筐体３の背面における突出片４０の上側には、リカバリーボタン４２及びリセットボタン４３が設けられている。突出片４０には、ＵＳＢ３．０インターフェース４４、ＵＳＢ調整口インターフェース４５、ネットワークポート４６、及び１０ＰＩＮ機能接続口４７が設けられている。突出片４０の左右の両端面には、支持孔４８が設けられている。筐体３の背面における突出片４０の下には、スピーカ４９が設けられている。
【００３１】
入退場管理支援装置２は、取付部材５を介してセキュリティゲート７の上面に固定されている。取付部材５は、一方向に延在する筒状部５１と、筒状部５１の基端よりも僅かに上側に設けられたフランジ５２と、筒状部５１の先端から、当該筒状部５１の延伸方向と直交する方向に突出した支持板５３とを有する。
【００３２】
取付部材５の筒状部５１のフランジ５２の下側の部分は、セキュリティゲート７の本体７０の上面の取付孔に挿入されている。取付部材５の支持板５３には、貫通孔が設けられている。取付部材５の支持板５３の貫通孔と入退場管理支援装置２の突出片４０の支持孔４８には、軸４が通されている。入退場管理支援装置２は、支持板５３の枢支点である軸４を揺動軸として、取付部材５に対して揺動し得るようになっている。
【００３３】
入退場管理支援装置２の制御手段６は、赤外センサモジュール２６によって、第１カメラ２１及び第２カメラ２２の正面に人が居ることが検知された場合に、第１カメラ２１、及び第２カメラ２２の出力信号ＳＲＧＢ、Ｓ３Ｄ、ＳＩＲを基に、入場者が登録済みの者であるか否かを判定する第１の判定と、赤外線温度測定モジュール３１の出力信号ＳＴＥＭを基に、入場者の温度が所定値未満であるか否かを判定する第２の判定と、を実行し、入場者が登録済みの者であり且つ温度が所定値未満である場合に、入場者の入場の許可に関わる信号を出力し、それ以外の場合に、入場者の入場の規制に関わる信号を出力する。
【００３４】
より具体的に説明すると、制御手段６は、赤外センサモジュール２６によって、第１カメラ２１及び第２カメラ２２の正面に人が居ることが検知されると、第１カメラ２１及び第２カメラ２２の正面に居る者を利用者とし、ＬＥＤフィルライト２０を、白色で発光させる。この白色光によって、利用者の顔が照らされ、利用者の顔の認証がし易くなる。
【００３５】
制御手段６は、第１カメラ２１の出力信号Ｓ３Ｄを基に、利用者と第１カメラ２１の間の距離が所定の範囲内であるか判定する。制御手段６は、利用者と第１カメラ２１の間の距離が所定の範囲外であり、利用者が第１カメラ２１から遠すぎる場合に、第１カメラ２１に近づくことを促す案内音声をスピーカ４９から出力させる。
【００３６】
制御手段６は、利用者と第１カメラ２１の間の距離が所定の範囲内にある場合、赤外線温度測定モジュール３１の出力信号ＳＴＥＭが示す温度を、入場者の体温とし、この体温が平熱の基準値よりも高い場合、セキュリティゲート７の扉７１の閉鎖を指示する信号を、１０ＰＩＮ機能接続口４７を介してセキュリティゲート７に送信する。セキュリティゲート７のコントローラは、セキュリティゲート７の扉７１を閉めることを指示する信号を受信すると、セキュリティゲート７の扉７１を側方に進出させ、利用者の通過を規制する。制御手段６は、ＬＥＤフィルライト２０の発光色を赤にし、入場が認められないことを示すメッセージをタッチパネルディスプレイ３０に表示させ、そのことを知らせる入場規制通知音声をスピーカ４９から出力させる。
【００３７】
制御手段６は、入場者の体温が平熱の基準値よりも低い場合、第１カメラ２１の出力信号ＳＲＧＢを基に、入場者がマスクを装着しているか否かを判定し、入場者がマスクを装着していない場合、その者が登録済みの者であるか否かに関わらず、マスクの装着を促すメッセージをタッチパネルディスプレイ３０に表示させ、マスクの装着を促す案内音をスピーカ４９から出力させる。
【００３８】
制御手段６は、入場者がマスクを装着している場合、第１カメラ２１の出力信号ＳＲＧＢが示す入場者の顔の撮影情報を、メモリ６２内の撮影情報と照合し、入場者が登録済みの者であるか否かを判定する。制御手段６は、入場者が登録済みの者でない場合、ＬＥＤフィルライト２０の発光色を赤にし、入場が認められないことを示すメッセージをタッチパネルディスプレイ３０に表示させ、そのことを知らせる入場規制通知音声をスピーカ４９から出力させる。
【００３９】
制御手段６は、入場者が登録済みの者である場合、セキュリティゲート７を開けることを指示する信号を、１０ＰＩＮ機能接続口４７を介してセキュリティゲート７に送信する。セキュリティゲート７は、セキュリティゲート７の扉７１を開けることを指示する信号を受信すると、セキュリティゲート７の扉７１を本体７０内に退避させて、利用者を通過させる。また、制御手段６は、入場者が登録済みの者である場合、ＬＥＤフィルライト２０の発光色を緑にし、入場が認められることを示すメッセージをタッチパネルディスプレイ３０に表示させ、そのことを知らせる入場許可通知音声をスピーカ４９から出力させる。
【００４０】
以上が、本実施形態の構成の詳細である。本実施形態である入退場管理支援装置２は、制御手段６と、情報の出力手段であるタッチパネルディスプレイ３０、スピーカ４９、ＵＳＢ３．０インターフェース４４、ＵＳＢ調整口インターフェース４５、ネットワークポート４６、及び１０ＰＩＮ機能接続口４７と、入場者を撮影する撮影手段である第１カメラ２１及び第２カメラ２２と、入場者の温度を測定する赤外線温度測定モジュール３１と、を具備する。そして、制御手段６は、第１カメラ２１及び第２カメラ２２の出力信号ＳＲＧＢ、Ｓ３Ｄ、ＳＩＲを基に、入場者が登録済みの者であるか否かを判定する第１の判定と、赤外線温度測定モジュール３１の出力信号ＳＴＥＭを基に、入場者の温度が所定値未満であるか否かを判定する第２の判定と、を実行し、入場者が登録済みの者であり且つ温度が所定値未満である場合に、入場者の入場の許可に関わる信号を、タッチパネルディスプレイ３０、スピーカ４９、及び１０ＰＩＮ機能接続口４７を介して出力し、それ以外の場合に、入場者の入場の規制に関わる信号を、タッチパネルディスプレイ３０、スピーカ４９、及び１０ＰＩＮ機能接続口４７を介して出力する。よって、本実施形態によると、入場者が登録済みの者でない場合に加えて、入場者の温度が所定値未満である場合にも、入場が規制される。従って、セキュリティゲート７を通過する者の体温に異常がある場合における入場の規制を安全かつ確実に行うことができる。
【００４１】
＜第２実施形態＞
次に、本考案の第２実施形態を説明する。図６に示すように、本実施形態の入退場管理支援システム１Ａは、入退場管理支援装置２と、フラップタイプのセキュリティゲート７Ａとを含む。セキュリティゲート７Ａは、入場路の左右に設置される。セキュリティゲート７Ａの本体７０Ａには、扉７１Ａが設けられている。扉７１Ａは、軸７２により本体７０Ａに支持されている。扉７１Ａは、セキュリティゲート７Ａのコントローラによる制御の下、軸７２を支点とし揺動し得るようになっている。セキュリティゲート７Ａのコントローラは、入退場管理支援装置２から与えられた信号に従って扉７１Ａの動作を制御する。入場者が、入退場管理支援装置２の正面に立って、顔を撮影させ、制御手段６が、入場者が登録済みの者でないと判定するか、又は、温度が所定値以上であると判定すると、扉７１Ａが閉まり、入場者の通過が規制される。本実施形態によっても、上記第１実施形態と同様の効果が得られる。
【００４２】
＜第３実施形態＞
次に、本考案の第３実施形態を説明する。図７に示すように、本実施形態の入退場管理支援システム１Ａは、入退場管理支援装置２と、スタンド８１とを含む。スタンド８１の上部には、入退場管理支援装置２を支持する台座部が設けられている。入場者が、入退場管理支援装置２の正面に立って、顔を撮影させ、制御手段６が、入場者が登録済みの者であり且つ温度が所定値未満であると判定すると、入場が認められたことを示すメッセージ及び入場許可通知音声が出力される。本実施形態によっても、上記第１実施形態と同様の効果が得られる。
【００４３】
以上、本発明の第１〜第３実施形態について説明したが、この実施形態に次のような変形を加えてもよい。上記第２実施形態は、本願発明をフラップタイプのセキュリティゲート７Ａに適用したものであったが、セキュリティゲート７Ａはフラップタイプである必要はない。例えば、いわゆる万引き防止用の電磁式のセキュリティゲートに本願発明を適用してもよい。この場合、セキュリティゲートは、本体と、与えられた信号に従ってスピーカからアラート音を出力するコントローラとを有する構成とし、入退場管理支援装置２の制御手段６は、入場者が、登録済みの者でないか、又は、温度が所定値以上である場合、アラート音の出力を指示する信号をセキュリティゲートに送信し、セキュリティゲートのコントローラは、アラート音の出力を指示する信号を受信すると、スピーカからアラート音を出力させるようにするとよい。
【符号の説明】
【００４４】
１  １Ａ  １Ｂ  入退場管理支援システム、２  入退場管理支援装置、３  筐体、４  ７２  軸、５  取付部材、６  制御手段、７  ７Ａ  セキュリティゲート、２０  ＬＥＤフィルライト、２１  第１カメラ、２２  第２カメラ、２４  赤外線フィルライト、２５  マイク、２６  赤外センサモジュール、３０  タッチパネルディスプレイ、３１  赤外線温度測定モジュール、３２  取付板、４０  突出片、４２  リカバリーボタン、４３  リセットボタン、４４  インターフェース、４５  調整口インターフェース、４６  ネットワークポート、４７  １０ＰＩＮ機能接続口、４９  スピーカ、５１  筒状部、５２  フランジ、５３  支持板、６２  メモリ、７０  ７０Ａ  本体、７１  ７１Ａ  扉、８１  スタンド
【図１】
0003228205.tif 000003
【図２】
0003228205.tif 000004
【図３】
0003228205.tif 000005
【図４】
0003228205.tif 000006
【図５】
0003228205.tif 000007
【図６】
0003228205.tif 000008
【図７】
0003228205.tif 000009
【手続補正書】
【提出日】令和2年7月13日(2020.7.13)
【手続補正１】
【補正対象書類名】実用新案登録請求の範囲
【補正対象項目名】全文
【補正方法】変更
【補正の内容】
【実用新案登録請求の範囲】
【請求項１】
制御手段と、
情報の出力手段と、
入場者を撮影する撮影手段と、
入場者の温度を測定する赤外線温度測定モジュールと
を具備し、
前記制御手段は、
前記撮影手段の出力信号を基に、入場者が登録済みの者であるか否かを判定する第１の判定と、前記赤外線温度測定モジュールの出力信号を基に、入場者の温度が所定値未満であるか否かを判定する第２の判定と、を実行し、前記入場者が登録済みの者であり且つ温度が所定値未満である場合に、前記入場者の入場の許可に関わる信号を前記出力手段を介して出力し、それ以外の場合に、前記入場者の入場の規制に関わる信号を前記出力手段を介して出力する
ことを特徴とする入退場管理支援装置。
【請求項２】
筐体を有し、
前記筐体に、前記制御手段、前記出力手段、前記撮影手段、及び前記赤外線温度測定モジュールが搭載されている
ことを特徴とする請求項１に記載の入退場管理支援装置。
【請求項３】
登録済みの者のマスクを装着した顔の撮影情報を記憶するメモリを具備し、
前記制御手段は、
前記撮影手段の出力信号が示す入場者の顔の撮影情報を前記メモリ内の撮影情報と照合することにより、入場者が登録済みの者であるか否かを判定する
ことを特徴とする請求項２に記載の入退場管理支援装置。
【請求項４】
前記出力手段は、ディスプレイを含み、
前記筐体の正面には、開口が設けられており、前記開口から前記ディスプレイが露出しており、
前記制御手段は、
前記入場者が登録済みの者でないか、又は、温度が所定値以上である場合に、入場を規制することを示す情報を前記ディスプレイに表示させる
ことを特徴とする請求項３に記載の入退場管理支援装置。
【請求項５】
前記出力手段は、スピーカを含み、
前記筐体には、前記スピーカが設けられており、
前記制御手段は、
前記入場者が登録済みの者でないか、又は、温度が所定値以上である場合に、入場を規制することを示す音声を前記スピーカから出力させる
ことを特徴とする請求項４に記載の入退場管理支援装置。
【請求項６】
前記制御手段は、
前記撮影手段の出力信号を基に、入場者がマスクを装着しているか否かを判定し、入場者がマスクを装着していない場合、登録済みの者であるか否かに関わらず、マスクの装着を促す情報を前記ディスプレイに表示させる
ことを特徴とする請求項５に記載の入退場管理支援装置。
【請求項７】
前記撮影手段の正面に生物が居るか否かを検知する赤外センサモジュールを備え、
前記制御手段は、前記撮影手段の正面に生物が居ることが検知された場合に、前記第１の判定及び前記第２の判定を実行する
ことを特徴とする請求項６に記載の入退場管理支援装置。
【請求項８】
前記筐体の正面には、赤外線を照射する赤外フィルライトが設けられており、
前記撮影手段は、
第１カメラ、及び第２カメラを含み、
前記第１カメラは、当該第１カメラの受光素子に入射した光の、Ｒ成分、Ｇ成分、及びＢ成分の光量に応じた信号を出力するＲＧＢカメラであり、
前記第２カメラは、前記赤外フィルライトから照射され、入場者を経由して、当該第２カメラの受光素子に入射した光の光量に応じた信号を出力する赤外線カメラであり、
前記制御手段は、前記第１カメラの出力信号に基づいて、前記第１の判定を行い、
前記赤外線温度測定モジュールは、前記第２カメラの出力信号に基づいて、前記入場者の温度を測定する
ことを特徴とする請求項７に記載の入退場管理支援装置。
【請求項９】
前記筐体の前面には、
複数の色の発光が可能なＬＥＤフィルライトが設けられており、
前記制御手段は、
前記入場者が登録済みの者でないか、又は、温度が所定値以上である場合に、前記ＬＥＤフィルライトを第１の色で発光させ、前記入場者が登録済みの者であり且つ温度が所定値未満である場合に、前記ＬＥＤフィルライトを第２の色で発光させ、それら以外の場合に、前記ＬＥＤフィルライトを前記第１の色及び前記第２の色と異なる光で発光させる
ことを特徴とする請求項８に記載の入退場管理支援装置。
【請求項１０】
前記第１カメラ及び前記第２カメラは、筐体の正面における前記開口の上側であって、中央から左右に同じ距離だけ離れた位置にそれぞれ配置されており、
前記赤外フィルライトは、２つあり、当該２つの赤外フィルライトは、前記第１カメラ及び前記第２カメラの左右両側に配置されており、
前記２つの赤外フィルタの左右両側に、マイクと前記赤外センサモジュールがそれぞれ配置されている
ことを特徴とする請求項９に記載の入退場管理支援装置。
【請求項１１】
前記赤外線温度測定モジュールは、一方向に延在する直方体を角取りした形状をなしており、
前記赤外線温度測定モジュールは、前記筐体の上端面に固定されている
ことを特徴とする請求項１０に記載の入退場管理支援装置。
【請求項１２】
前記第１カメラは、撮影画像の画素毎の距離を検出するＴｏＦカメラを有し、
前記制御手段は、前記ＴｏＦカメラの出力信号に基づいて、入場者が所定の距離の範囲内に居るか否かを判定し、入場者が所定の距離の範囲外にいる場合に、所定の案内音声を前記スピーカから出力させる
ことを特徴とする請求項１１に記載の入退場管理支援装置。
【請求項１３】
請求項１〜１２のいずれかに記載の入退場管理支援装置と、
施設のエントランスに設置されるセキュリティゲートであって、本体と、与えられた信号に従ってスピーカからアラート音を出力するコントローラとを有するセキュリティゲートと
を具備し、
前記制御手段は、
前記入場者が登録済みの者でないか、又は、温度が所定値以上である場合、アラート音の出力を指示する信号を前記セキュリティゲートに送信し、前記セキュリティゲートのコントローラは、アラート音の出力を指示する信号を受信すると、スピーカからアラート音を出力させる
ことを特徴とする入退場管理支援システム。
【請求項１４】
一方向に延在する筒状部と、前記筒状部の基端よりも僅かに上側に設けられたフランジと、前記筒状部の先端部から、当該筒状部の延伸方向と直交する方向に突出した支持板とを、有する取付部材
を具備し、
前記取付部材は、前記筒状部における前記フランジの下側の部分を前記本体の上面の孔に嵌め込むようにして、前記上面に固定されており、
前記入退場管理支援装置の筐体の背面の中央に、突出片が設けられており、前記突出片に、ゲーブルを接続するための接続端子が設けられており、
前記接続端子に接続されたケーブルが、前記筒状部の中を通って、前記本体の中の前記コントローラと接続されており、
前記突出片が、前記支持板に枢支され、
前記入退場管理支援装置が、前記支持板の枢支点を揺動軸として、揺動し得るようになっている
ことを特徴とする請求項１３に記載の入退場管理支援システム。